(57)【要約】【課題】本発明は、迷子となった愛玩動物である犬についての飼い主のプライバシーを守った状態での通報者の支援による迷子犬捜索処理を簡略容易に実現し得る二次元情報コード付きのＩＣタグを利用した愛玩動物に関する情報管理システムを提供する。【解決手段】本発明に係る二次元情報コード付きのＩＣタグを利用した愛玩動物に関する情報管理システムは、予め多数の犬Ｄの個々の特定情報、飼い主情報を含む登録情報を記憶保持するとともに、特定情報に基づく飼い主情報抽出プログラムを搭載し、迷子犬探索のためのＷＥＢサイトを開設した管理センターコンピュータ装置１１と、迷子犬が保持している当該迷子犬の特定情報、管理センターコンピュータ装置１１の連絡先情報を含む二次元情報コード２２付きのＩＣタグ２３を搭載したペンダント２４から、迷子犬Ｄの特定情報を読み取り送信する通報者の通報者通信端末２１と、迷子犬Ｄの飼い主が所持する飼い主通信端末３１と、情報交信を行う通信網と、を含む構成としたものである。【選択図】図１
2014126988.tif 000002
【特許請求の範囲】
【請求項１】
予め多数の愛玩動物の個々の特定情報、飼い主情報を含む登録情報を記憶保持し、愛玩動物探索のためのＷＥＢサイトを開設した管理センターコンピュータ装置と、
迷子愛玩動物が保持している当該迷子愛玩動物の特定情報、管理センターコンピュータ装置の連絡先情報を含む二次元情報コード付きのＩＣタグを搭載したペンダントから、前記迷子愛玩動物の特定情報を読み取り送信する通報者の通報者通信端末と、
前記迷子愛玩動物の飼い主が所持する飼い主通信端末と、
前記管理センターコンピュータ装置、通報者通信端末、飼い主通信端末間の情報交信を行う通信網と、
を含み、
前記通報者通信端末によって読み取られた前記迷子愛玩動物の特定情報を、前記通信網を介して受信した管理センターコンピュータ装置において当該迷子愛玩動物の飼い主を抽出するとともに、通報者通信端末へ連絡先入力画面を送信し、通報者通信端末入力による連絡先情報を取得して、通報者の連絡先情報を、前記通信網を介して前記特定情報に対応する迷子愛玩動物の飼い主の飼い主通信端末へ送信し、前記通報者通信端末と、飼い主通信端末との前記通信網を介した直接交信を実行させること、
を特徴とする二次元情報コード付きのＩＣタグを利用した愛玩動物に関する情報管理システム。
【請求項２】
予め多数の愛玩動物である犬の個々の特定情報、飼い主情報を含む登録情報を記憶保持するとともに、前記特定情報に基づく飼い主情報抽出プログラムを搭載し、迷子犬探索のためのＷＥＢサイトを開設した管理センターコンピュータ装置と、
迷子犬が保持している当該迷子犬の特定情報、管理センターコンピュータ装置の連絡先情報を含む二次元情報コード付きのＩＣタグを搭載したペンダントから、前記迷子犬の特定情報を読み取り送信する通報者の通報者通信端末と、
前記迷子犬の飼い主が所持する飼い主通信端末と、
前記管理センターコンピュータ装置、通報者通信端末、飼い主通信端末間の情報交信を行う通信網と、
を含み、
前記通報者通信端末によって読み取られた前記迷子犬の特定情報を、前記通信網を介して受信した管理センターコンピュータ装置において飼い主情報抽出プログラムにより当該迷子犬の飼い主を抽出するとともに、ＷＥＢサイトを介して通報者通信端末へ連絡先入力画面を送信して、通報者通信端末入力による連絡先情報を取得して、通報者の連絡先情報を、前記通信網を介して前記特定情報に対応する迷子犬の飼い主の飼い主通信端末へ送信し、前記通報者通信端末と、飼い主通信端末との前記通信網を介した直接交信を実行させること、
を特徴とする二次元情報コード付きのＩＣタグを利用した愛玩動物に関する情報管理システム。
【請求項３】
予め多数の愛玩動物の個々の特定情報、飼い主情報を含む登録情報を記憶保持している管理センターコンピュータ装置と、
迷子愛玩動物に保持させた迷子愛玩動物自体の特定情報、管理センターコンピュータ装置の連絡先情報を含む二次元情報コード付きのＩＣタグを搭載したペンダント及び当該迷子愛玩動物に取り付けたＧＰＳ機能付きの自動発信機と、
前記迷子愛玩動物の飼い主が所持する飼い主通信端末と、
前記自動発信機、管理センターコンピュータ装置、飼い主通信端末間の情報交信を行う通信網と、
を含み、
前記ＧＰＳ機能付きの自動発信機により当該迷子愛玩動物の特定情報、及び、現在の位置情報を自動発信し、管理センターコンピュータ装置により前記通信網を介して前記特定情報、及び前記位置情報を受信して、当該迷子愛玩動物の飼い主通信端末を、特定して前記位置情報を前記通信網を介して当該飼い主通信端末に送信する構成としたこと、
を特徴とする二次元情報コード付きのＩＣタグを利用した愛玩動物に関する情報管理システム。
【請求項４】
予め多数の愛玩動物である犬の個々の特定情報、飼い主情報を含む登録情報を記憶保持するとともに、前記特定情報に基づく飼い主情報抽出プログラムを搭載している管理センターコンピュータ装置と、
迷子犬に保持させた迷子犬自体の特定情報、管理センターコンピュータ装置の連絡先情報を含む二次元情報コード付きのＩＣタグを搭載したペンダント及び当該迷子犬に取り付けたＧＰＳ機能付きの自動発信機と、
前記迷子犬の飼い主が所持する飼い主通信端末と、
前記自動発信機、管理センターコンピュータ装置、飼い主通信端末間の情報交信を行う通信網と、
を含み、
前記ＧＰＳ機能付きの自動発信機により当該迷子犬の特定情報、及び現在の位置情報を自動発信し、管理センターコンピュータ装置により前記通信網を介して前記特定情報、及び前記位置情報を受信して、飼い主情報抽出プログラムにより当該迷子犬の飼い主通信端末を特定して前記位置情報を前記通信網を介して当該飼い主通信端末に送信する構成としたこと、
を特徴とする二次元情報コード付きのＩＣタグを利用した愛玩動物に関する情報管理システム。
【請求項５】
予め多数の愛玩動物の個々の特定情報、飼い主情報を含む会員登録情報を記憶保持するとともに、個々の愛玩動物の登録管理を行う管理機関へのアクセス情報を含む二次元情報コード付きのＩＣタグを搭載したペンダントを各会員に発行する管理センターの管理センターコンピュータ装置と、
前記ペンダントを愛玩動物に付ける会員である飼い主が所持する飼い主通信端末と、
個々の愛玩動物の登録管理を行う管理機関の登録台帳データベースを備える管理機関コンピュータ装置と、
前記管理センターコンピュータ装置、飼い主通信端末、管理機関コンピュータ装置間の情報交信を行う通信網と、
を含み、
前記飼い主通信端末により前記ペンダントのＩＣタグから前記アクセス情報を読み取って、管理機関コンピュータ装置へのアクセスにより登録パターン情報を受信し、登録パターン情報に対する所要事項を入力して愛玩動物の登録情報とし、前記通信網を介して管理機関コンピュータ装置に送信し、前記管理機関コンピュータ装置により受信した前記愛玩動物の登録情報を登録台帳データベースに登録処理すること、
を特徴とする二次元情報コード付きのＩＣタグを利用した愛玩動物に関する情報管理システム。
【請求項６】
予め多数の愛玩動物である犬の個々の特定情報、飼い主情報を含む会員登録情報を記憶保持するとともに、個々の犬の登録管理を行う管理機関へのアクセス情報を含む二次元情報コード付きのＩＣタグを搭載したペンダントを各会員に発行するとともに、迷子犬探索のためのＷＥＢサイトを開設した管理センターの管理センターコンピュータ装置と、
前記ペンダントを犬に付ける会員である飼い主が所持する飼い主通信端末と、
個々の犬の登録管理を行う管理機関の登録台帳データベースを備え、ＷＥＢサイトを開設した管理機関コンピュータ装置と、
前記管理センターコンピュータ装置、飼い主通信端末、管理機関コンピュータ装置間の情報交信を行う通信網と、
を含み、
前記飼い主通信端末により前記ペンダントのＩＣタグから前記アクセス情報を読み取って、管理機関コンピュータ装置へのアクセスにより登録パターン情報を受信し、登録パターン情報に対する所要事項を入力して犬の登録情報とし、前記通信網を介して管理機関コンピュータ装置に送信し、前記管理機関コンピュータ装置により受信した前記犬の登録情報を登録台帳データベースに登録処理すること、
を特徴とする二次元情報コード付きのＩＣタグを利用した愛玩動物に関する情報管理システム。
【請求項７】
飼い主通信端末を所持する飼い主が飼う愛玩動物が保持している愛玩動物の特定情報を含む二次元情報コード付きのＩＣタグを搭載したペンダントと、
予め多数の愛玩動物の特定情報、種類、血統情報、予防接種情報、病歴情報、飼い主情報等からなる詳細情報を記憶保持する管理センターコンピュータ装置と、
愛玩動物に関連する処理内容が異なる各種施設群の個別識別情報が各々付けられたタグリーダを付帯させた施設コンピュータ装置群と、
前記管理センターコンピュータ装置、施設コンピュータ装置群間の情報交信を行う通信網と、
を含み、
個々の施設コンピュータ装置のタグリーダにより前記愛玩動物のペンダントから特定情報を読み取り、読み取った当該愛玩動物の特定情報と当該タグリーダの個別識別情報とを前記通信網を介して前記管理センターコンピュータ装置に送信し、前記管理センターコンピュータ装置において、受信した当該愛玩動物の特定情報と当該タグリーダの個別識別情報とを基に、当該愛玩動物の特定情報に対応する詳細情報の中から当該タグリーダの個別識別情報に対応する施設の処理内容に限定した開示情報を抽出し、前記通信網を介して当該施設に送信して開示に供すること、
を特徴とする二次元情報コード付きのＩＣタグを利用した愛玩動物に関する情報管理システム。
【請求項８】
飼い主通信端末を所持する飼い主が飼う愛玩動物である犬が保持している特定情報を含む二次元情報コード付きのＩＣタグを搭載したペンダントと、
予め多数の犬の特定情報、種類、血統情報、予防接種情報、病歴情報、飼い主情報等からなる詳細情報を記憶保持する管理センターコンピュータ装置と、
多数の犬に関連する処理内容が異なる保健所、動物病院、ペットショップ等からなる各種施設群の個別識別情報が各々付けられたタグリーダを付帯させた施設コンピュータ装置群と、
前記管理センターコンピュータ装置、施設コンピュータ装置群間の情報交信を行う通信網と、
を含み、
個々の施設コンピュータ装置のタグリーダにより前記犬のペンダントから特定情報を読み取り、読み取った当該犬の特定情報と当該タグリーダの個別識別情報とを前記通信網を介して前記管理センターコンピュータ装置に送信し、
前記管理センターコンピュータ装置において、受信した当該犬の特定情報と当該タグリーダの個別識別情報とを基に、当該犬の特定情報に対応する詳細情報の中から当該タグリーダの個別識別情報に対応する保健所、動物病院、ペットショップ等からなる各施設の処理内容に限定した犬の種類、血統情報、予防接種情報、病歴情報等から抽出される個別の開示情報を抽出し、前記通信網を介して当該施設に送信して開示に供すること、
を特徴とする二次元情報コード付きのＩＣタグを利用した愛玩動物に関する情報管理システム。
【発明の詳細な説明】
【技術分野】
【０００１】
本発明は、迷子となった愛玩動物である犬についての飼い主のプライバシーを守った状態での通報者の支援による迷子犬捜索処理を簡略容易に実現し得る二次元情報コード付きのＩＣタグを利用した愛玩動物に関する情報管理システムに関するものである。
【背景技術】
【０００２】
従来、愛玩動物である犬に関しては、当該犬が迷子犬となった場合、簡略迅速に捜索できたり、当該犬の現在の所在地を速やかに把握し得ることが当然に要請される。
【０００３】
また、愛玩動物である犬に関しては狂犬病予防法に定められた所轄管理機関への登録も必要であり、更には、愛玩動物である犬に関しては、保健所での予防注射の接種、動物病院での病気の治療処理、ペットショップを介しての売買等を行うための種々の施設が介在するところである。
【０００４】
狂犬病予防法によれば、下記のような事項が定められている。
【０００５】
すなわち、犬の所有者は、狂犬病予防法第４条により飼い犬の登録をしなければならないこと、犬を飼い始めたときには、３０日以内に犬の登録手続きを行うこと（生後９０日以内の犬の場合は、生後９０日を経過した日から３０日以内）、登録申請は環境保全課に行うこと、鑑札を紛失した場合は再交付すること等である。
【０００６】
また、狂犬病予防注射に関しては、犬の所有は、狂犬病予防法第５条により飼い犬について狂犬病の予防注射を毎年１回受けさせなければならないこと、動物病院等で狂犬病の予防注射を行ったときは、獣医師の交付した注射済み証を持参し、環境保全課で注射済票の交付を受けること、注射済票を紛失した場合は再交付すること等である。
【０００７】
本発明に関連する先行技術を列挙すると、特許文献１には、ペットの首輪にＱＲコード（登録商標）を記載した迷子札をぶら下げ、迷子を保護した方と飼い主との間に動物病院（クリニック）の担当者が入り、サーバを介したセキュリティを守りつつ、適切なペットの受け渡し、返還を実現するように構成した迷子札システムが開示されている。
【０００８】
特許文献２には、ＧＰＳ受信機と無線通信装置と制御回路とを１チップにした追跡装置チップ２とアンテナ３と電池４を、子供が所持するバッジ１や名札に内蔵させ、家族が子供の迷子に気づくと、センターに連絡し、センターは、無線通信装置を呼び出し、位置情報データを通知するように指令を出し、この指令を受信した位置情報送信装置は、ＧＰＳ受信機を動作させて、位置情報データを収集し、この位置情報データを無線通信装置を使ってセンターに通知するように構成した一般的にボーロングと称される技術を前提にするシステムが開示されている。
【０００９】
特許文献３には、ペットを識別するための識別情報を保持した識別情報保持部を備えるペット用首輪、及び、このペット用首輪を着用することで、識別情報をＩＣタグリーダ等で読み取り、リアルタイムに情報管理装置のデータベースと照合し、鑑札未着用のペットにおいても容易に飼い主の割り出しを行い、更には、モバイル環境においても飼い主の割り出しを行うことができるように構成したペット情報管理装置が開示されている。
【００１０】
特許文献４には、情報の読み書きが可能なＩＣモジュールと、該ＩＣモジュールの少なくとも何れか一方の面上に配置された反射材と、前記ＩＣモジュール及び前記反射材を覆う透明樹脂からなる外殻部とを備え、前記ＩＣモジュールには、前記動物の識別情報が記憶されている動物識別タグが開示されている。
【先行技術文献】
【特許文献】
【００１１】
【特許文献１】特開２０１１−０５４００９号公報
【特許文献２】特開２００３−２２７８６８号公報
【特許文献３】特開２００３−１０２３１４号公報
【特許文献４】特開２００７−０１４２１４号公報
【発明の概要】
【発明が解決しようとする課題】
【００１２】
本発明が解決しようとする問題点は、迷子となった愛玩動物である犬についての飼い主のプライバシーを守った状態での通報者の支援による迷子犬捜索処理、迷子となった愛玩動物である犬の自動的な位置確認処理、愛玩動物である犬の管轄管理機関への狂犬病予防法に基づいた簡略な登録処理、更には、愛玩動物である犬に関して処理内容が異なる各種施設への飼い主のプライバシーを守った状態における個別的、限定的な情報開示処理を簡略容易に実現し得るような二次元情報コード付きのＩＣタグを利用した愛玩動物に関する情報管理システムが存在しない点である。
【課題を解決するための手段】
【００１３】
本発明に係る二次元情報コード付きのＩＣタグを利用した愛玩動物に関する情報管理システムは、予め多数の愛玩動物の個々の特定情報、飼い主情報を含む登録情報を記憶保持し、愛玩動物探索のためのＷＥＢサイトを開設した管理センターコンピュータ装置と、迷子愛玩動物が保持している当該迷子愛玩動物の特定情報、管理センターコンピュータ装置の連絡先情報を含む二次元情報コード付きのＩＣタグを搭載したペンダントから、前記迷子愛玩動物の特定情報を読み取り送信する通報者の通報者通信端末と、前記迷子愛玩動物の飼い主が所持する飼い主通信端末と、前記管理センターコンピュータ装置、通報者通信端末、飼い主通信端末間の情報交信を行う通信網と、を含み、前記通報者通信端末によって読み取られた前記迷子愛玩動物の特定情報を、前記通信網を介して受信した管理センターコンピュータ装置において当該迷子愛玩動物の飼い主を抽出するとともに、通報者通信端末へ連絡先入力画面を送信し、通報者通信端末入力による連絡先情報を取得して、通報者の連絡先情報を、前記通信網を介して前記特定情報に対応する迷子愛玩動物の飼い主の飼い主通信端末へ送信し、前記通報者通信端末と、飼い主通信端末との前記通信網を介した直接交信を実行させることを最も主要な特徴とする。
【発明の効果】
【００１４】
請求項１、２記載の発明によれば、管理センター、愛玩動物（特に迷子犬）の通報者以外の者はだれも介入することなく、飼い主、通報者のみで迷子犬の受け渡しや通報者への謝礼に関しての会話を行うことができ、飼い主のプライバシーを守りつつ、通報者の支援による迷子犬捜索処理を的確に実行できる二次元情報コード付きのＩＣタグを利用した愛玩動物、特に飼い犬に関する情報管理システムを実現し提供することができる。
【００１５】
請求項３、４記載の発明によれば、愛玩動物（特に犬）の飼い主にとって、格別の労力を払わずして、自己の飼い犬が迷子犬となった場合における探索処理を簡略、迅速に行うことができ、また、自動発信機を採用することにより、ポーリングによる通信費用発生は無く、安価なシステム構成からなる情報管理システムを実現し提供することができる。
【００１６】
請求項５、６記載の発明によれば、個々の愛玩動物（特に犬）の飼い主にとって、飼い主通信端末を使用するだけで管轄管理機関への狂犬病予防法に基づいた簡略な犬Ｄの登録処理を簡略容易に実現でき、また、管轄管理機関にとっても、多数の犬Ｄの登録管理が簡略容易となる情報管理システムを実現し提供することができる。
【００１７】
請求項７、８記載の発明によれば、愛玩動物（特に犬）に関して、処理内容が異なる各種施設へのその処理内容に応じた内容のみの個別的、限定的な情報開示を行い、処理内容とは無関係な情報開示が行なわれることは無いので、飼い主のプライバシーを守った状態での情報開示を実行可能な情報管理システムを実現し、提供することができる。
【図面の簡単な説明】
【００１８】
【図１】図１は本発明の実施例１に係る二次元情報コード付きのＩＣタグを利用した愛玩動物に関する情報管理システムの概略構成図である。
【図２】図２は実施例１に係る二次元情報コード付きのＩＣタグを利用した愛玩動物に関する情報管理システムのペンダントの概略正面図である。
【図３】図３は実施例１に係る二次元情報コード付きのＩＣタグを利用した愛玩動物に関する情報管理システムのペンダントの概略背面図である。
【図４】図４は実施例１に係る二次元情報コード付きのＩＣタグを利用した愛玩動物に関する情報管理システムのペンダントの概略断面図である。
【図５】図５は実施例１に係る二次元情報コード付きのＩＣタグを利用した愛玩動物に関する情報管理システムにおける飼い主通信端末の画面推移を示す説明図である。
【図６】図６は実施例１に係る二次元情報コード付きのＩＣタグを利用した愛玩動物に関する情報管理システムにおける処理の流れを示す概略チャート図である。
【図７】図７は本発明の実施例２に係る二次元情報コード付きのＩＣタグを利用した愛玩動物に関する情報管理システムの概略構成図である。
【図８】図８は実施例２に係る二次元情報コード付きのＩＣタグを利用した愛玩動物に関する情報管理システムの自動発信機の構成を示すブロック図である。
【図９】図９は実施例２に係る二次元情報コード付きのＩＣタグを利用した愛玩動物に関する情報管理システムの処理の流れを示す概略チャート図である。
【図１０】図１０は本発明の実施例３に係る二次元情報コード付きのＩＣタグを利用した愛玩動物に関する情報管理システムの概略構成図である。
【図１１】図１１は実施例３に係る二次元情報コード付きのＩＣタグを利用した愛玩動物に関する情報管理システムにおけるペンダントの概略正面図である。
【図１２】図１２は実施例３に係る二次元情報コード付きのＩＣタグを利用した愛玩動物に関する情報管理システムにおける登録パターン情報及び登録内容を示す説明図である。
【図１３】図１３は実施例３に係る二次元情報コード付きのＩＣタグを利用した愛玩動物に関する情報管理システムの処理の流れを示す概略チャート図である。
【図１４】図１４は本発明の実施例４に係る二次元情報コード付きのＩＣタグを利用した愛玩動物に関する情報管理システムの概略構成図である。
【図１５】図１５は実施例４に係る二次元情報コード付きのＩＣタグを利用した愛玩動物に関する情報管理システムの施設コンピュータ装置群を示す概略構成図である。
【図１６】図１６は実施例４に係る二次元情報コード付きのＩＣタグを利用した愛玩動物に関する情報管理システムの処理の流れを示す概略チャート図である。
【発明を実施するための形態】
【００１９】
本発明に係る二次元情報コード付きのＩＣタグを利用した愛玩動物に関する情報管理システムは、迷子となった愛玩動物である犬についての飼い主のプライバシーを守った状態での通報者の支援による迷子犬捜索処理を簡略容易に実現し得る二次元情報コード付きのＩＣタグを利用した愛玩動物に関する情報管理システムを提供するという目的を、予め多数の愛玩動物である犬の個々の特定情報、飼い主情報を含む登録情報を記憶保持するとともに、前記特定情報に基づく飼い主情報抽出プログラムを搭載し、迷子犬探索のためのＷＥＢサイトを開設した管理センターコンピュータ装置と、迷子犬が保持している当該迷子犬の特定情報、管理センターコンピュータ装置の連絡先情報を含む二次元情報コード付きのＩＣタグを搭載したペンダントから、前記迷子犬の特定情報を読み取り送信する通報者の通報者通信端末と、前記迷子犬の飼い主が所持する飼い主通信端末と、前記管理センターコンピュータ装置、通報者通信端末、飼い主通信端末間の情報交信を行う通信網と、を含み、前記通報者通信端末によって読み取られた前記迷子犬の特定情報を、前記通信網を介して受信した管理センターコンピュータ装置において飼い主情報抽出プログラムにより当該迷子犬の飼い主を抽出するとともに、ＷＥＢサイトを介して通報者通信端末へ連絡先入力画面を送信し、通報者通信端末入力による連絡先情報を取得して、通報者の連絡先情報を、前記通信網を介して前記特定情報に対応する迷子犬の飼い主の飼い主通信端末へ送信し、前記通報者通信端末と、飼い主通信端末との前記通信網を介した直接交信を実行させる構成により実現した。
【実施例】
【００２０】
以下、本発明の実施例に係る二次元情報コード付きのＩＣタグを利用した愛玩動物に関する情報管理システムについて図面を参照して詳細に説明する。
（実施例１）
本実施例１に係る二次元情報コード付きのＩＣタグを利用した愛玩動物に関する情報管理システムについて愛玩動物が犬である場合を例にとり、図１乃至図６を参照して説明する。
【００２１】
本実施例１に係る二次元情報コード２２付きのＩＣタグ（ＲＦＩＤ（Ｒａｄｉｏ  Ｆｒｅｑｕｅｎｃｙ  Ｉｄｅｎｔｉｆｉｃａｔｉｏｎ）タグ）２３を利用した愛玩動物である犬Ｄ（迷子犬Ｄ）に関する情報管理システム（以下、「実施例１に係る情報管理システム」という。）１は、図１に示すように、この実施例１に係る情報管理システム１を運用する管理センターに設置される管理センターコンピュータ装置１１と、迷子犬Ｄが保持している当該迷子犬Ｄの特定情報（例えば愛犬番号４５６７××××）、管理センターコンピュータ装置１１の連絡先情報（例えばＷＥＢサイト情報（ＵＲＬ（Ｕｎｉｆｏｍ  Ｒｅｓｏｕｃｅ  Ｌｏｃａｔｏｒ）、ＷＥＢメールアドレス等）を含む二次元情報コード（ＱＲコード（登録商標））２２付きのＩＣタグ２３を搭載したペンダント２４における前記二次元情報コード２２を読み取り、読み取った当該迷子犬Ｄの特定情報を送信する通報者（迷子犬Ｄの保護者）の通報者通信端末２１と、前記迷子犬Ｄの飼い主が所持する飼い主通信端末３１と、前記管理センターコンピュータ装置１１、通報者通信端末２１、飼い主通信端末３１間の情報交信を行う通信網４１と、を含んで構成している。
【００２２】
前記管理センターコンピュータ装置１１は、予め多数の犬Ｄ（迷子犬Ｄ）の個々の特定情報（例えば愛犬番号４５６７××××）、飼い主情報（例えば飼い主の氏名、電話番号、メールアドレス等）を少なくとも含む登録情報を記憶保持している登録情報データベース（登録情報ＤＢ）１２を備えるとともに、前記通信網４１を介してアクセス可能な迷子犬探索のためのＷＥＢサイトを開設したサーバ機能、公知のメール送受信機能等を備え、更に、前記特定情報に基づく飼い主情報抽出プログラムを搭載している。
【００２３】
前記通報者通信端末２１は、二次元情報コード２２の読み取り及び送信機能、メール送受信機能、通話機能等を有する公知のスマートフォン又は携帯電話等からなる。
同様に、前記飼い主通信端末３１は、二次元情報コードの読み取り及び送信機能、メール送受信機能、通話機能等を有する公知のスマートフォン又は携帯電話等からなる。
【００２４】
前記通信網４１は、公知のインターネット通信網、携帯電話通信網等を含む構成からなる。
【００２５】
次に、前記ペンダント２４の具体的構成について、図２乃至図４を参照して説明する。
【００２６】
前記ペンダント２４は、図２乃至図４に示すように、略薄型直方体状で、４箇所の隅部及び上辺中央部を円弧状とした例えば透明合成樹脂材からなる外装体２６内に、プリントシート２５、ＩＣタグ２３、二次元情報コード２２を積層配置に内蔵し、二次元情報コード２２が一面側から読み取り可能としている。
【００２７】
また、前記、プリントシート２５の他面側には外部から消すことが不可能なように内部印刷の態様で「私は迷子です。ＱＲコード（登録商標）を携帯電話で読取って送信してください」の文字を付している。
【００２８】
更に、前記ペンダント２４の上辺中央部の円弧状部分には抜孔２７を設け、この抜孔２７に吊り下げ紐２８を挿通して迷子犬Ｄの首に巻き付けることにより取り付けるように構成している。
【００２９】
すなわち、前記ペンダント２４は、完全防水仕様で頑強な構造とし、犬Ｄにシャワーを浴びせる場合でも首から取り外す必要がないようにしている。
【００３０】
次に、実施例１に係る情報管理システム１による迷子犬Ｄの探索処理について、図５、図６を参照して説明する。
【００３１】
前記通報者通信端末２１を所持する通報者は、迷子犬Ｄを発見した場合、自己の通報者通信端末２１によって迷子犬Ｄに付されているペンダント２４における当該迷子犬Ｄの特定情報（例えば愛犬番号４５６７××××）、管理センターコンピュータ装置１１の連絡先情報（例えばＷＥＢサイト情報（ＵＲＬ）、ＷＥＢメールアドレス等）を含む二次元情報コード２２を読み取る。
【００３２】
次に、前記通報者通信端末２１は、図５、図６に示すように、
【００３３】
前記連絡先情報を利用して前記通信網４１を介して前記管理センターコンピュータ装置１１のＷＥＢサイトにアクセスし、読み取った当該迷子犬Ｄの特定情報（例えば愛犬番号４５６７××××）を送信する。
【００３４】
前記通報者通信端末２１から迷子犬Ｄの特定情報を受信した管理センターコンピュータ装置１１は、飼い主情報抽出プログラムによって特定情報を基に迷子犬Ｄの飼い主情報を抽出するとともに、ＷＥＢサイトを通じ通信網４１を介して通報者通信端末２１へ図５に示すような連絡先入力画面を送信する。
【００３５】
この連絡先入力画面を受信した通報者通信端末２１においては、通報者の操作によりその連絡先番号（携帯電話番号）が入力され、次いで通信網４１を介してその連絡先番号が前記管理センターコンピュータ装置１１のＷＥＢサイトに送信される。
【００３６】
この送信処理の後、通報者通信端末２１の画面には、「しばらくお待ちください、送信完了」の文字メッセージが表示される。
【００３７】
このようにして、当該通報者の連絡先番号を取得した管理センターコンピュータ装置１１は、通報者の連絡先番号を予前記通信網４１を介して抽出した前記特定情報に対応する迷子犬Ｄの飼い主の飼い主通信端末３１へメール送信する。
【００３８】
これにより、飼い主は飼い主通信端末３１を使用して通報者通信端末２１に電話をかけ、前記通報者通信端末２１と、飼い主通信端末３１との前記通信網４１を介した迷子犬Ｄに関する直接会話が実行される。
【００３９】
以上説明した実施例１に係る情報管理システム１によれば、管理センター、迷子犬Ｄの通報者以外の者はだれも介入することなく、飼い主、通報者のみで迷子犬Ｄの受け渡しや通報者への謝礼に関しての会話を行うことができ、飼い主のプライバシーを守りつつ、通報者の支援による迷子犬捜索処理を的確に実現することができる。
【００４０】
（実施例２）
実施例２に係る情報管理システム１Ａについて、図７乃至図９を参照して説明する。
【００４１】
なお、実施例２に係る情報管理システム１Ａにおいて、既述した実施例１に係る情報管理システム１の場合と同一の要素には同一の符号を付して示す。
【００４２】
実施例２に係る情報管理システム１Ａは、図７に示すように、予め多数の犬Ｄ（迷子犬Ｄ）の個々の特定情報（例えば愛犬番号４５６７××××）、飼い主情報（飼い主の氏名、電話番号、メールアドレス等）を少なくとも含む登録情報を記憶保持している登録情報データベース（登録情報ＤＢ）１２、地図情報データベース（地図情報ＤＢ）１３を備えるとともに、前記通信網４１を介してアクセス可能な迷子犬探索のためのＷＥＢサイトを開設したサーバ機能、公知のメール送受信機能等を備え、更に前記特定情報に基づく飼い主情報抽出プログラム、地図情報データベース１３を参照し後述するような迷子犬Ｄの位置情報を地図上に基に割り付ける迷子犬地図情報生成プログラムを搭載している管理センターコンピュータ装置１１と、迷子犬Ｄに保持させた迷子犬Ｄ自体の特定情報、管理センターコンピュータ装置１１の連絡先情報を含む二次元情報コード２２付きのＩＣタグ２３を搭載したペンダント２４及び当該迷子犬Ｄに取り付けたＧＰＳ（Ｇｌｏｂａｌ  Ｐｏｓｉｔｉｏｎｉｎｇ  Ｓｙｓｔｅｍ）機能付きの自動発信機５１と、前記迷子愛玩動物の飼い主が所持する飼い主通信端末３１と、前記管理センターコンピュータ装置１１、飼い主通信端末３１、自動発信機５１間の情報交信を行う通信網４１と、を含んで構成している。
【００４３】
前記ＧＰＳ機能付きの自動発信機５１は、図８に示すように、自動発信機５１全体の制御を行う自動発信機制御部５２と、図示しないＧＰＳ衛星からのＧＰＳ情報を受信し、このＧＰＳ情報を基に当該迷子犬Ｄの現在の位置情報を生成する位置情報生成部５３と、前記自動発信機制御部５２の制御の基に、前記位置情報生成部５３により生成した前記位置情報と、二次元情報コード２２付きのＩＣタグ２３から読み出した迷子犬Ｄの特定情報（例えば４５６７〇〇〇号）とを取り込み、位置情報と迷子犬Ｄの特定情報とにより管理センターコンピュータ装置１１への送信情報を生成する送信情報生成部５４と、前記送信情報を通信網４１を介して管理センターコンピュータ装置１１へ送信する送信処理部５５と、前記送信処理部５５による送信情報の送信タイミングを設定するタイマー５６と、を有している。
【００４４】
前記位置情報生成部５３は、位置情報として、例えば、「北緯××××、東経○○○○付近を移動中：２０１２年  月  日、０８：００」、又は、「△△区△△△町□□丁目付近を移動中、２０１２年  月  日、０８：００」のような情報を生成するように構成している。
【００４５】
前記送信情報生成部５４は、前記位置情報と迷子犬Ｄの特定情報（例えば４５６７〇〇〇号）とを関連付けた送信情報を生成し、送信処理部５５に出力するように構成している。
【００４６】
前記タイマー５６は、前記送信処理部５５による送信情報の送信タイミングを例えば１５分間隔とするように設定している。なお、送信タイミングは例えば１秒〜３０分の範囲で任意の間隔に設定できるが、特に限定するものではない。
【００４７】
この結果、送信処理部５５は、例えば１５分間隔で迷子犬Ｄの位置情報及び特定情報を通信網４１を介して管理センターコンピュータ装置１１へ送信する構成としている。
【００４８】
次に、実施例２に係る情報管理システム１Ａによる迷子犬Ｄの探索処理について、図９を参照して説明する。
【００４９】
迷子犬Ｄに取り付けたＧＰＳ機能付きの自動発信機５１における位置情報生成部５３は、図示しないＧＰＳ衛星からのＧＰＳ情報を受信し当該迷子犬Ｄの現在の位置情報を生成する。
【００５０】
送信情報生成部５４は、前記位置情報と、二次元情報コード２２付きのＩＣタグ２３から読み出した迷子犬Ｄの特定情報（例えば４５６７〇〇〇号）とを取り込み、これらを関連付けて送信処理部５５へ出力する。
【００５１】
送信処理部５５は、タイマー５６にて設定した送信タイミング（例えば１５分間隔）で迷子犬Ｄの位置情報及び特定情報を通信網４１を介して管理センターコンピュータ装置１１へ自動的に送信する。
【００５２】
管理センターコンピュータ装置１１は、前記特定情報、及び、前記位置情報を受信して、前記特定情報を基に飼い主情報抽出プログラムにより当該迷子犬Ｄの飼い主通信端末３１を特定し、前記位置情報を基に迷子犬地図情報生成プログラムにより地図情報データベース１３を参照し迷子犬Ｄの位置情報を地図上に割り付けて、これらを送信位置情報として例えばメールにて当該飼い主通信端末３１に送信する。
【００５３】
これにより、当該迷子犬Ｄの飼い主は、自己の飼い犬の現在位置を飼い主通信端末３１の画面にて地図付きで確認することができ、その現在位置に急行する等の対策をとることが可能となる。
【００５４】
実施例２によれば、飼い主にとって、格別の労力を払わずして、自己の飼い犬が迷子犬Ｄとなった場合における探索処理を簡略、迅速に行うことができ、また、前記自動発信機５１を採用することにより、ポーリングによる通信費用発生は無く、安価なシステム構成からなる情報管理システム１Ａを実現することができる。
【００５５】
（実施例３）
実施例３に係る情報管理システム１Ｂについて図１０乃至図１３を参照して説明する。
【００５６】
なお、実施例３に係る情報管理システム１Ｂにおいて、既述した実施例１に係る情報管理システム１の場合と同一の要素には同一の符号を付して示す。
【００５７】
実施例３に係る情報管理システム１Ｂは、図１０に示すように、予め多数の犬Ｄ（迷子犬Ｄ）の個々の特定情報（例えば愛犬番号４５６７××××）、飼い主情報（会員登録した飼い主の氏名、電話番号、メールアドレス等）を少なくとも含む登録情報を記憶保持している登録情報データベース（登録情報ＤＢ）１２を備えるとともに、前記通信網４１を介してアクセス可能な迷子犬探索のためのＷＥＢサイトを開設したサーバ機能、公知のメール送受信機能等を備え、更に個々の犬Ｄの登録管理を行う後述する管理機関コンピュータ装置７１へのアクセス情報（ＵＲＬ、ＷＥＢメールアドレス）を含む二次元情報コード６２付きのＩＣタグ６３を搭載した図１１に示すペンダント６４を各会員に発行する管理センターの管理センターコンピュータ装置１１と、前記ペンダント６４を犬Ｄに付ける会員である飼い主が所持する飼い主通信端末３１と、個々の犬Ｄの登録管理を行う例えば市町村の管轄部署のような管理機関の登録台帳データベース（登録台帳ＤＢ）７２を備え、登録管理のためのＷＥＢサイトを開設したサーバ機能を有する管理機関コンピュータ装置７１と、前記管理センターコンピュータ装置１１、飼い主通信端末３１、管理機関コンピュータ装置７１間の情報交信を行う通信網４１と、を含んでいる。
【００５８】
次に、実施例３に係る情報管理システム１Ｂによる個々の犬Ｄの登録処理について、図１３を参照して説明する。
【００５９】
管理センターにおいては、管理センターコンピュータ装置１１による処理の基に、管理機関コンピュータ装置７１へのアクセス情報（ＵＲＬ、ＷＥＢメールアドレス）を含む二次元情報コード６２付きのＩＣタグ６３を搭載したペンダント６４を各会員に発行する。
【００６０】
会員である飼い主は、飼い主通信端末３１を使用し、前記ペンダント６４のＩＣタグ６３から前記アクセス情報を読み取り、管理機関コンピュータ装置７１のホームページにアクセスする。
【００６１】
管理機関コンピュータ装置７１は、前記飼い主通信端末３１からのアクセスに応じて、通信網４１を介して図１２に示す各項目を有する登録パターン情報を飼い主通信端末３１に送信する。
【００６２】
飼い主は、飼い主通信端末３１を操作し、受信した登録パターン情報に応じて所要事項を入力し、更に、必要に応じて自己の犬Ｄの写真（画像）を添付し登録情報を作成する。
【００６３】
この登録情報は、飼い主通信端末３１から通信網４１を介して前記管理機関コンピュータ装置７１へ送信される。
【００６４】
前記管理機関コンピュータ装置７１は、受信した前記犬Ｄの登録情報を登録台帳データベース７２に登録処理する。
【００６５】
このような処理が、個々の犬Ｄの飼い主通信端末３１によって各々実行され、前記管理機関コンピュータ装置７１の登録台帳データベース７２に登録処理されて行く。
【００６６】
実施例３によれば、個々の犬Ｄの飼い主にとって、飼い主通信端末３１を使用するだけで、管轄管理機関への狂犬病予防法に基づいた簡略な犬Ｄの登録処理を簡略容易に実現でき、また、管轄管理機関にとっても、多数の犬Ｄの登録管理が簡略容易となる情報管理システム１Ｂを実現することができる。
【００６７】
なお、実施例３の情報管理システム１Ｂにおける管理センターの管理センターコンピュータ装置１１に登録した会員に与えられる会員特典事項の例を以下に付記する。
【００６８】
迷子犬の捜査：迷子犬の検索を行うサイトである。
予防注射・検診の時期通達：予防注射や検診の時期をメールでお知らせする。
公的情報のお知らせ：各公報メールでお知らせする。
近隣獣医情報：お住まいの近くの獣医さんを紹介する。
お見合いコーナ：お見合いコーナサイトに犬の写真・履歴を公開する。
愛犬者コーナ：情報交換のサイト。色々な経験談・悩み等フリースペースである。
新商品紹介：生活用品や食事関連等、新商品やおすすめ品を紹介する。
健康管理コーナ
：犬の年齢、種類・散歩回数・距離等を専用サイトに入力することで、犬の健康管理をする。
医療相談：専門医が医療相談にお答えする。
【００６９】
（実施例４）
実施例４に係る情報管理システム１Ｃについて図１４乃至図１６を参照して説明する。
【００７０】
なお、実施例４に係る情報管理システム１Ｃにおいて、既述した実施例１に係る情報管理システム１の場合と同一の要素には同一の符号を付して示す。
【００７１】
実施例４に係る情報管理システム１Ｃは、図１４に示すように、飼い主通信端末３１を所持する飼い主が飼う犬Ｄが保持している特定情報を含む二次元情報コード２２付きのＩＣタグ２３を搭載したペンダント２４と、予め多数の犬Ｄの特定情報、犬種、血統情報、予防接種情報、病歴情報、飼い主情報等からなる詳細情報を記憶保持する登録情報データベース（登録情報ＤＢ）１２を備えるとともに、既述した場合と同様な機能を有する管理センターコンピュータ装置１１と、犬Ｄに関連する処理内容が異なる各種施設群の個別識別情報（個別ＩＤ）が各々付けられたタグリーダ９２を付帯させた施設コンピュータ装置群９１と、前記管理センターコンピュータ装置１１、施設コンピュータ装置群９１間の情報交信を行う通信網４１と、を含んでいる。
【００７２】
前記管理センターコンピュータ装置１１は、更に、犬Ｄの特定情報と、各タグリーダ９２の個別識別情報とを基に、当該犬Ｄの特定情報に対応する詳細情報の中から当該タグリーダ９２の個別識別情報に対応する施設の処理内容に限定した開示情報を抽出する開示情報抽出プログラムを格納している。
【００７３】
前記施設コンピュータ装置群９１としては、例えば、図１５に示すように、犬Ｄに対して予防接種を行う保健所のＧＰＳ情報発信機９３付きのタグリーダ９２を付帯させた保健所コンピュータ装置８１、犬Ｄに関する病気の治療を行う動物病院のＧＰＳ情報発信機９３付きのタグリーダ９２を付帯させた動物病院コンピュータ装置８２、犬Ｄの売買処理を行うペットショップのＧＰＳ情報発信機９３付きのタグリーダ９２を付帯させたペットショップコンピュータ装置８３等により構成する例を挙げることができる。
【００７４】
前記保健所のタグリーダ９２には、例えば個別ＩＤとして、「００００１」、動物病院のタグリーダ９２には、例えば個別ＩＤとして、「００００２」、ペットショップのタグリーダ９２には、例えば個別ＩＤとして、「００００３」が割り当てられている。
【００７５】
前記各ＧＰＳ情報発信機９３は、各々のＧＰＳ情報発信機９３自体の現在地情報を、対応する保健所コンピュータ装置８１、動物病院コンピュータ装置８２、又は、ペットショップコンピュータ装置８３のいずれかに送信する公知の構成としている。
【００７６】
前記管理センターコンピュータ装置１１に格納した開示情報抽出プログラムは、犬Ｄの特定情報、個別ＩＤである「００００１」とを基に、犬Ｄの予防接種情報を抽出し、犬Ｄの特定情報、個別ＩＤである「００００２」とを基に、犬Ｄの病歴情報を抽出し、犬Ｄの特定情報、個別ＩＤである「００００３」とを基に、犬Ｄの犬種、血統情報等を抽出する内容のプログラムである。
【００７７】
次に、実施例４に係る情報管理システム１Ｃによる個々の犬Ｄの情報開示処理について、図１６を参照して説明する。
【００７８】
実施例４に係る情報管理システム１Ｃは、上述したような各種施設の処理内容に対応した犬Ｄの個別的情報開示を行うものである。
【００７９】
まず、犬Ｄの個別的情報開示を行う前段階として、飼い主は、飼い主通信端末３１を使用して、自己の犬Ｄの特定情報、犬種、血統情報、予防接種情報、病歴情報、飼い主情報等からなる詳細情報を管理センターコンピュータ装置１１に送信し、これにより、管理センターコンピュータ装置１１は、登録情報データベース１２に犬Ｄの特定情報を含む詳細情報を登録する。
【００８０】
そして、管理センターは、特定情報を含む二次元情報コード２２付きのＩＣタグ２３を搭載したペンダント２４を飼い主に発行する。飼い主は、ペンダント２４を犬Ｄに取り付ける。
【００８１】
次に、各種施設の処理内容に対応した犬Ｄの個別的情報開示処理が実行される。
【００８２】
例えば、前記保健所においては、タグリーダ９２により、犬Ｄにつけたペンダント２４のＩＣタグ２３から当該犬Ｄの特定情報を読み取り、読み取った当該犬Ｄの特定情報と当該タグリーダ９２の個別ＩＤである「００００１」を前記通信網４１を介して前記管理センターコンピュータ装置１１に送信する。
【００８３】
前記管理センターコンピュータ装置１１は、受信した当該犬の特定情報と当該タグリーダ９２の個別ＩＤである「００００１」とを基に、開示情報抽出プログラムによって当該犬Ｄの特定情報に対応する詳細情報の中から個別ＩＤである「００００１」に対応する保健所の処理内容に限定した予防接種情報を抽出し、この予防接種情報を保健所コンピュータ装置８１送信し、開示に供する。
【００８４】
同様にして、動物病院コンピュータ装置８２に対しては犬Ｄの病歴情報のみを送信して開示に供し、ペットショップコンピュータ装置８３に対しては売買に必要な犬Ｄの犬種、血統情報等のみを送信して開示に供する。
【００８５】
実施例４によれば、犬Ｄに関して、処理内容が異なる各種施設へのその処理内容に応じた内容のみの個別的、限定的な情報開示を行い、処理内容とは無関係な情報開示が行なわれることは無いので、犬Ｄの飼い主のプライバシーを守った状態での情報開示を実現することができる情報管理システム１Ｃを提供することができる。
【００８６】
また、実施例４によれば、前記保健所コンピュータ装置８１、動物病院コンピュータ装置８２、ペットショップコンピュータ装置８３の各タグリーダ９２を各々ＧＰＳ情報発信機９３付としているので、タグリーダ９２の盗難や不要な貸与等に関するセキュリティ保護を図ることもできる。
【産業上の利用可能性】
【００８７】
本発明は、上述したように愛玩動物である犬に関して適用する微愛の他、猫やその他各種の愛玩動物に関しても広範に応用可能である。
【符号の説明】
【００８８】
１    情報管理システム情報管理システム
１Ａ  情報管理システム
１Ｂ  情報管理システム
１Ｃ  情報管理システム
１１    管理センターコンピュータ装置
１２    登録情報データベース
１３    地図情報データベース
２１    通報者通信端末
２２    二次元情報コード
２３    ＩＣタグ
２４    ペンダント
２５    プリントシート
２６    外装体
３１    飼い主通信端末
４１    通信網
５１    自動発信機
５２    自動発信機制御部
５３    位置情報生成部
５４    送信情報生成部
５５    送信処理部
５６    タイマー
６２    二次元情報コード
６３    ＩＣタグ
６４    ペンダント
７１    管理機関コンピュータ装置
７２    登録台帳データベース
８１    保健所コンピュータ装置
８２    動物病院コンピュータ装置
８３    ペットショップコンピュータ装置
９１    施設コンピュータ装置群
９２    タグリーダ
９３    ＧＰＳ情報発信機
【図１】
2014126988.tif 000003
【図２】
2014126988.tif 000004
【図３】
2014126988.tif 000005
【図４】
2014126988.tif 000006
【図５】
2014126988.tif 000007
【図６】
2014126988.tif 000008
【図７】
2014126988.tif 000009
【図８】
2014126988.tif 000010
【図９】
2014126988.tif 000011
【図１０】
2014126988.tif 000012
【図１１】
2014126988.tif 000013
【図１２】
2014126988.tif 000014
【図１３】
2014126988.tif 000015
【図１４】
2014126988.tif 000016
【図１５】
2014126988.tif 000017
【図１６】
2014126988.tif 000018
【手続補正書】
【提出日】平成25年1月22日(2013.1.22)
【手続補正１】
【補正対象書類名】図面
【補正対象項目名】図１２
【補正方法】変更
【補正の内容】
【図１２】
2014126988.tif 000019